(57)【要約】      （修正有）【課題】一般の掛ふとんを使用すると、その重量が体の全面にのしかゝり重苦しく、深い睡眠のさまたげになる。特に老人や病院入院中の患者にとつては二重の苦しみでる。汗は掛ふとん内に溜り２４時間で９０％以上になり２日目は９９％に近くなつて不眠状態になるのが現状で、これ等の苦痛を解決するのが課題である。【解決手段】羽毛ふとんの表布（１０）、裏布（１１）を高密度の軽い生地を使用し、その中央に、中央部不通風布仕切布（２）で枠を作り、その内に通風性ドーム仕切布（４）により数個の室を作り保温用羽毛を１３０ｇ又は４００ｇを全体にほゞ均一に入れる。足部の送風口（９）より暖房機で送風すると、中央部がドーム状に浮き、ふとんの重さが体にかゝらず寝苦しさから解放され深い眠りにつける発明である。【選択図】図１
2006239386.tif 000002
【特許請求の範囲】
【請求項１】
表布（１０）と裏布（１１）を縫合し、足部に送風口（９）を設け、表布（１０）と裏布（１１）の間に暖房機で送風する無圧エアコンドームふとん（１）において、ほぼ中央部に中央部不通風布仕切布（２）により枠を作り、その内に通風性ドーム仕切布（４）を横方向に数枚列べて数個の保温材（羽毛）室を作る、足部にはフイルター（８）を設け送風口（９）より送風される温風を通過させると共に保温材（羽毛）は逆流しない構造をもつた、無圧エアコンドームふとん。
【請求項２】
請求項１に示す無圧エアコンドームふとん（１）の表布（１０）のほゞ中央に数個の、フツク掛紐１２１・・・・１２４を設けたことを特徴とする無圧エアコンドームふとん。
【発明の詳細な説明】
【技術分野】Ａ４７Ｇ  ９／２
【背景技術】  特許第２６１６８９３    特許第２６３０７３３
【発明の開示】
【発明が解決しようとする課題】
【０００１】  従来の掛ふとん、毛布等は使用時その重量のほとんどが重く人の体にかゝり、寝ぐるしい。特に病人や、老人は体力上たえがたいのが現状である。この掛ふとんの重量からのがれ様とする発明である。
【課題を解決するための手段】
【０００２】  無圧エアコンドームふとん（１）の中央部に中央部不通風布仕切布（２）で枠を作り、その内に通風性ドーム仕切布（４）で、横方向に数個の区画室を作る。その区画室には羽毛、眞綿、ホリエステル球状綿等を保温材として入れる。  通風性ドーム仕切布（４）はＨの高さは人の胸の厚さより高くし人により異るが２０ｃｍ〜２５ｃｍが一般的である。  送風口（９）より暖房機で温風を送風すると、中央部はドームの屋根の様にふくれ上り体にふとんの重みがかゝらない様になる。  表布（１）裏布（２）は細い糸で高密度の羽毛が出ない布を使用することは言うまでもない。以上の様にすることにより課題を解決する。  請求項２のフツク掛紐（１２１、１２２、１２３、１２４）は寒冷地で使用する時、羽毛、等の保湿材を増量する必要が有りその量が多い時の補助具であり、天井よりつり上げる為の予備具である
【発明の効果】
【０００３】  課題を解決するための手段でのべた様に、送風口（９）より暖房機で温風を送風すると、中央部不通風布仕切布（２）の内部が通風性ドーム仕切布（４）の形状の様に、ドームの屋根の形状にふくれ上るため、無圧エアコンドームふとん（１）の重量が、かゝりません。表布（１０）裏布（１１）は超細糸で高密度の織物である為、送風された空気は極一部は外にぬけるが、大部分は浮く力になり、体に重くかゝらないのです。  請求項２のフツク掛紐１２１  １２２  １２３  １２４  は病院の様に室内温度が２６℃〜２４℃の空調した室で使用する時は羽毛量を１３０ｇ全体に均等に投込すれば、寝床内を３２℃の理想の熟睡空間にたもたれます。その際２８℃〜２９℃の温風を送風すれば、体温３６℃と送風温度２８℃〜２９℃とが互にまじりあい、３２℃の寝床空間が出来るのです。  一般の家庭では室温が５℃まで低下する為、羽毛量を４００ｇ〜６００ｇまで、増量する必要が有ります。この時送風量が不足すると、ドーム状にならないこともあり、その際の補助具として１２１  １２２  １２３  １２４  で天井よりつることにより、人体への重みをかけない様にし熟睡して体力の回復を増す効果があります。床ずれ予防として体圧分散にも効果が有ります。
【発明を実施するための最良の型態】
【０００４】  最良の型態は表布（１０）、裏布（１１）は超長綿で８０番糸で高密度で羽毛の出ない、すき間の無い生地で軽いほどよい。羽毛の投込量は１３０ｇと４００ｇの２種類を作り、地区に応じ使いわけをすることが必要である。二枚重ねて使用するも可  中央部不通風布仕切布（２）の２上と２下の生地を縫合する時、荒い目のミシン縫合をするとその縫合部より空気がわづかばかりぬけて側部の区画に時間がたつとともに、ふくらみが出来美しい形状になります。  通風性ドーム仕切布（４）のＨの高さは２０ｃｍ以上２５ｃｍまでが一般の方に適しています。保温材は羽毛を全区画に均一に投込するとよい。区画数は量で決定する
【実施例】
【０００５】表布（１０）、裏布（１１）を超長綿を使用し、細い糸で高密度の軽い生地を使用し、羽毛の出ない加工した生地で縫合する。この際中央部に中央部不通風布仕切布（２）で、枠を作りその内側に通風性ドーム仕切布（４）を１１枚横方向に列べて、羽毛等の保温材の入る室を設ける。１３０ｇの羽毛を入れた病院用空調室用では１２室が最適で、４００ｇでは１０室、６００ｇでは８室がよい。外側通風性仕切布（３）によつて全て１２室に区分する。羽毛量は全室均等に投込するが時により中央部と外側部は同一で無くてもよい。  足部はフアスナー（５）で消臭、殺菌、芳香室（Ｘ）を作りその内に送風口金（６）をマジツクテープ（７）で取付ける。又送風口（９）より送風された温風が、フイルター（８）を通り中央部不通風布仕切布（２）内に送風される。フイルター（８）はレース状の生地で、３枚〜４枚重ねることにより羽毛等は出ない。  フツク掛紐１２１  １２２  １２３  １２４  は表布（１０）に始めより縫合しておけばよい。図６、図７、図８に示す図の様にデザインを無視して安く実用的な面のみを考へて設計すれば図６図７図８の商品も出来その目的、効果は同じである。
【産業上の利用可能性】
【０００６】  本発明は病院の入院患者が病気で苦しみ、生死の間で生きる為に病気と戦つている人の為に発明した商品であり、現在病院で使用されている寝具は、基準寝具と言つて保険内で作られた最低品で、一般家庭の使用品より粗悪なものである。現状の寝具は、２４時間病院で寝たきりでいると、湿度が汗の出口が無く９０％以上になり、４８時間だと敷きふとんの湿度が９９％になります。これが睡眠をさまたげ、床ずれの原因になるのです。  人口１／３が不眠のなやみを持ち、色々な事故の原因になつています。交通関係、医療関係等は特に人命にかゝる事故が多発している現状です。不眠は日経によると米国で五兆円の損失と報じられています。  全国民の健康は睡眠こそ一番欠けている問題だと信じます。産業上の利用可能性は全ての産業での社員に利用される可能性をひめています。
【図面の簡単な説明】
【０００７】
【図１】無圧エアコンドームふとんの一部カツトした平面図
【図２】送風口（９）よりフイルター（８）を示した側面図
【図３】図１のＡ−Ｂ断面図
【図４】図３の一部拡大図で中央部不通風布仕切布（２）の部分断面図
【図５】通風性ドーム仕切布（４）の平面図
【図６】簡易無圧エアコンドームふとん（１′）の平面図
【図７】図６のＣ〜Ｄ断面図
【図８】簡易通風性ドーム仕切布（４′）の平面図
【符号の説明】
【０００８】  １    無圧エアコンドームふとん  ２    中央部不通風布仕切布  ３    外側通風性仕切布  ４    通風性ドーム仕切布  ５    フアスナー  ６    送風口金  ７    マジツクテープ  ８    フイルター  ９    送風口１０    表布１１    裏布１２１  フツク掛紐１１２２  フツク掛紐２１２３  フツク掛紐３１２４  フツク掛紐４Ｘ      消臭殺菌芳香室
【図１】
2006239386.tif 000003
【図２】
2006239386.tif 000004
【図３】
2006239386.tif 000005
【図４】
2006239386.tif 000006
【図５】
2006239386.tif 000007
【図６】
2006239386.tif 000008
【図７】
2006239386.tif 000009
【図８】
2006239386.tif 000010